(57)【要約】【課題】  電気掃除機の他の部分から切り離すことなく、内部に集積した塵埃を外部に廃棄できるようにした集塵装置を提供する。【解決手段】  ケーシング２２にそれぞれ設けた吸込口３６および吐出口３８と、これらの吸込口３６および吐出口３８と異なる位置でかつ互いに離間して対向し前記ケーシング２２にそれぞれ設けた塵埃押出部材５２ならびに塵埃取出部４７と、前記ケーシング２２に内蔵され前記塵埃押出部材５２と前記塵埃取出部４７との間の集塵部５７に前記吸込口３６から吸引した空気をろ過して塵埃を集積させるフィルタ部３２と、前記塵埃押出部材５２を前記塵埃取出部４７に向かって移動させる押出機構５１と、前記塵埃取出部４７を開閉可能とする取出部カバー４８とを備えた集塵装置である。【選択図】  図３  
2005185398.tif 000002
【特許請求の範囲】
【請求項１】
ケーシングにそれぞれ設けた吸込口および吐出口と、これらの吸込口および吐出口と異なる位置でかつ互いに離間して対向し前記ケーシングにそれぞれ設けた塵埃押出部材ならびに塵埃取出部と、前記ケーシングに内蔵され前記塵埃押出部材と前記塵埃取出部との間の集塵部に前記吸込口から吸引した空気をろ過して塵埃を集積させるフィルタ部と、前記塵埃押出部材を前記塵埃取出部に向かって移動させる押出機構と、前記塵埃取出部を開閉可能とする取出部カバーとを備えたことを特徴とする電気掃除機の集塵装置。
【請求項２】
一端部および他端部にそれぞれ開口部を備えたほぼ筒状のフィルタ部と、このフィルタ部の外周面との間に通風路を形成して覆うケーシングと、このケーシングおよびフィルタ部のそれぞれ壁面を貫通してこのフィルタ部の内部に連通する吸込管と、前記ケーシングの壁面を貫通してこのケーシングと前記フィルタ部との間の前記通風路に連通する吐出管と、前記フィルタ部の一方の開口部に近接して前記ケーシングに設けた塵埃押出部材と、前記フィルタ部の他方の開口部に近接して前記ケーシングに設けた塵埃取出部と、この塵埃取出部に向かって前記塵埃押出部材を移動させる押出機構と、前記塵埃取出部を開閉可能とする取出部カバーとを備えたことを特徴とする電気掃除機の集塵装置。
【請求項３】
フィルタ部により集積された塵埃を押出す塵埃押出部材は、フィルタ部の表面に接触しつつ移動する除塵体を備えたことを特徴とする請求項１または請求項２に記載の電気掃除機の集塵装置。
【請求項４】
吸込管は、ケーシングとフィルタ部との間に有する通風路に連通するバイパス開口と、このバイパス開口を覆うバイパスフィルタとを備えたことを特徴とする請求項２または請求項３に記載の電気掃除機の集塵装置。
【請求項５】
取出部カバーは、有底筒状に形成されて内部に塵埃を収容可能な容器としたことを特徴とする請求項１から請求項４のいずれかに記載の電気掃除機の集塵装置。
【請求項６】
請求項１から請求項５のいずれかに記載の集塵装置を用いたことを特徴とする電気掃除機。
【発明の詳細な説明】
【技術分野】
【０００１】
本発明は、電気掃除機により使用され、床面などの被清掃面から吸引した塵埃が混在する空気からフィルタ部により塵埃を捕捉し、これを内部に集積させる集塵装置に関するものである。
【背景技術】
【０００２】
従来の電気掃除機の集塵装置である、例えば掃除機本体から着脱可能とした集塵ケースは、吸気口から流入した塵埃が混在する空気から塵埃分離室およびフィルタによって塵埃を分離し、この塵埃を容器状の塵埃収容室に集積されようになっている。そして、掃除機本体に内蔵した電動送風機が停止している任意のタイミングで操作レバーを手で押して、フィルタの外表面に接触するブラシ毛と下部に圧縮板とを有する外筒を下方に移動させることにより、このフィルタの外表面を擦りつつ移動してそこに付着した塵埃をブラシ毛により掻き落すとともに、フィルタの近くにふんわりと集積している塵埃を、圧縮板により塵埃収容室の底部に押し付けて圧縮し、塵埃の集積スペースとなる余剰容積を拡大する構造となっている。（例えば、特許文献１参照）
【０００３】
また、他の従来の電気掃除機の集塵装置である、例えば電気掃除機の本体ケースとの係合手段を解除することにより着脱自在に結合された集塵容器は、外周面に形成した複数の開口の全面を内側から覆った粗塵用フィルターを有する円筒状の粗塵捕獲用フィルターを備え、この粗塵捕獲用フィルターの内部にはその軸方向に移動自在なピストンが設けられている。このピストンは、ピストン棒の操作部を押し込むことにより、粗塵捕獲用フィルターの最深部から、粗塵用フィルターの内周面に接しながらホースと対向する吸込風の入口に向かって軸方向に押し出すことができる。これにより、粗塵用フィルターに付着している塵埃を落下させるとともに、粗塵捕獲用フィルターの内部に集積している塵埃を外部のゴミ箱等に廃棄させる。（例えば、特許文献２参照）
【０００４】
【特許文献１】特開２００３−１９００５６号公報（第５頁、第５図）
【特許文献２】特公昭６０−９４４６号公報（第３頁、第５図）
【発明の開示】
【発明が解決しようとする課題】
【０００５】
しかしながら、前者の従来技術においては、圧縮板によって塵埃を塵埃容器の底面に圧縮させることができるのみで、掃除機本体から集塵ケースを切り離し、集塵分離室や外筒等を塵埃収容室から取り外さない限り、塵埃収容室に集積した塵埃を外部に廃棄することができない欠点を有していた。また、後者においては、ホースと対向する吸込風の入口から塵埃を廃棄する構成であることから、粗塵捕獲用フィルターを電気掃除機の本体ケースから取り出すことなく、ピストンによって内部に集積した塵埃を外部に廃棄することは不可能であるという問題点があった。
【０００６】
本発明は、上記事情に鑑みなされたものであって、電気掃除機から切り離すことなく、内部に集積した塵埃を外部に廃棄できるようにした集塵装置を提供することを目的とする。
【課題を解決するための手段】
【０００７】
本発明は、ケーシングにそれぞれ設けた吸込口および吐出口と、これらの吸込口および吐出口と異なる位置でかつ互いに離間して対向し前記ケーシングにそれぞれ設けた塵埃押出部材ならびに塵埃取出部と、前記ケーシングに内蔵され前記塵埃押出部材と前記塵埃取出部との間の集塵部に前記吸込口から吸引した空気をろ過して塵埃を集積させるフィルタ部と、前記塵埃押出部材を前記塵埃取出部に向かって移動させる押出機構と、前記塵埃取出部を開閉可能とする取出部カバーとを備えた集塵装置としたことを主要な特徴とするものである。
【発明の効果】
【０００８】
本発明の電気掃除機に使用される集塵装置は、電気掃除機の他の部分との接続を切り離すことなく内部に集積された塵埃を外部に押し出して廃棄可能としたものである。
【発明を実施するための最良の形態】
【０００９】
以下、本発明による電気掃除機の集塵装置の実施態様について、図１から図１０を参照して説明する。
【実施例１】
【００１０】
図１および図２は、本発明の１実施例である集塵装置１を、電気掃除機２の掃除機本体３に内蔵して使用された状態を示すものである。掃除機本体３は、持ち運ぶための取手４を一体に有し、支点５を中心に開閉可能となったカバー６を備えている。このカバー６の先端部には、吸込ホース７が接続された連結管８が一体的に設けられている。また掃除機本体３は、１個の前輪９と左右１対の後輪１０とが回転自在に取付けられ、前後移動が可能となっている。連結管８に接続された吸込ホース７の他端には、操作スイッチ１１が一体的に設けられ、その先に接続された延長管１２には、床ブラシ等の吸込口体１３が接続されている。
【００１１】
前記掃除機本体３には、前後を防振ゴム１４で挟持されて支持筐体１５に固定された電動送風機１６が内蔵され、この電動送風機１６は外部から電源コード１７により電力が供給されるようになっている。掃除機本体３の前方下部１８とカバー６の前方上部１９とで構成される空間には、集塵装置１が収納されている。掃除機本体３のカバー６が気密に覆って固定した状態では、集塵装置１と連結管８および電動送風機１６とは、それぞれパッキング２０ならびにパッキング２１を介して気密に連通接続されている。
【００１２】
次に、集塵装置１の具体的構成を、図３から図５により説明する。集塵装置１は、全体がほぼ円筒状をしたケーシング２２を備え、このケーシング２２の中央部は直径が大きな径大部２３となり、この径大部２３から段差を有してなる両側の右径小部２４と左径小部２５には、右開口部２６と左開口部２７とがそれぞれ設けられている。また、右径小部２４と左径小部２５との間には、これらと同一内径を有して一体的となった開口部を両端に備えた円筒状のフィルタ支持枠２８が設けられている。このフィルタ支持枠２８には、径大部２３の内周面と一定の間隔を有して等間隔に架け渡された複数本の支枠２９が一体的に設けられている。これらの隣り合う支枠２９の間には、それぞれ長方形の通気部３０を有することになる。これらの円筒面に沿って横方向に配置された全ての支枠２９は、縦方向に配置した複数本の環状枠を設けることにより互いに結合して、全体を縦横の格子状に形成することで強度を増することも可能である。この場合の通気部３０は、碁盤の目のように縦横に配置されることになる。
【００１３】
フィルタ支持枠２８の全ての支枠２９と通気部３０とは、その内側から細かいメッシュを有する円筒状のフィルタ３１により覆われている。このフィルタ３１は、支枠２９と同一のプラスチック材料で一体的に構成されているが、ナイロン製またはステンレス製の網をプラスチック材料の支枠２９に溶着して一体的に構成することもできる。これらのフィルタ支持枠２８と支枠２９とフィルタ３１とにより、フィルタ部３２が構成されている。このフィルタ部３２の外周面とケーシング２２に有する径大部２３の内周面との間は、円環状の通風路３３となる。
【００１４】
一方ケーシング２２には、その中間位置に中心方向に向かって径大部２３とフィルタ支持枠２８とのそれぞれ壁面を貫通する吸込管３５が設けられている。これにより吸込管３５に有する吸込口３６は、フィルタ部３２の内部に連通することになる。この吸込管３５は、気密状態で前記カバー３の先端部に設けた連結管８に連通接続されている。また、前記フィルタ支持枠２８の支枠２９により設けられたほとんどの通気部３０は、吸込口３６の周囲には設けられず、吸込口３６の中心から両側約９０度の回転角度を有する位置から反対側にかけて設けられている。
【００１５】
さらに、吸込管３５が設けられた位置と回転角度が１８０度異なる反対側にある径大部２４の中間位置には、この壁面を貫通する吐出管３７が設けられている。この吐出管３７に有する吐出口３８は、一方がフィルタ部３２の外周部にある前記通風路３３に連通され、他方が前記電動送風機１６の内部に連通されている。前述した通気部３０の殆どは、吸込管３５側よりも吐出管３７側に設けられていることになる。
【００１６】
これらの吸込管３５および吐出管３７は、ケーシング２２に設けずに掃除機本体３に一体的に設けることも可能である。すなわち、径大部２３とフィルタ支持枠２８との外周壁には、これらを貫通する図示しない吸込口と吐出口とを設け、これらの吸込口および吐出口に、掃除機本体３に一体的に設けた吸込管３５ならびに吐出管３７を気密に嵌合させたり、または吸込管３５の吸込口３６ならびに吐出管３７の吐出口３８が連通接続するように接合しても良い。
【００１７】
また、ケーシング２２の両側に設けた右径小部２４と左径小部２５の端部外周には、ねじ山４０、４１がそれぞれ一体的に設けられている。右開口部２６を覆う有底円筒状の押出部カバー４２は、これに有するねじ山４３が右径小部２４のねじ山４０に着脱可能に係合し、パッキンリング４４を介して外部と密閉状態となっている。この押出部カバー４２の中心部には円形の貫通口４５を有し、この貫通口４５の周囲にはリング状のパッキング４６が埋設されている。また、左径小部２５の左開口部２７の端部に塵埃取出部４７を有し、この塵埃取出部４７を覆う有底円筒状の取出部カバー４８は、これに有するねじ山４９が左径小部２５のねじ山４１に着脱可能に係合し、パッキンリング５０を介して外部と密閉状態となっている。
【００１８】
右径小部２４の右開口部２６には、押出部カバー４２の内方に位置して塵埃押出部材５２が設けられ、ピストン棒５３とハンドル部５４とから構成される押出機構５１が取付けられている。すなわち、この塵埃押出部材５２の中心部に押出部カバー４２の貫通口４５に気密状態でかつ移動自在となったピストン棒５３の一端が固定され、その他端がＴ字状のハンドル部５４となっている。ピストン棒５３は、途中で支軸５６により屈曲可能に結合され、塵埃押出部材５２が右開口部２６に収容された状態では、外方に突出しないように折り曲げた状態で掃除機本体３の側方に沿って保持されている。また塵埃押出部材５２の外周部には、環状に設けられたフェルト状の柔軟な部材からなる除塵体５５が取付けられている。この除塵体５５は、右開口部２６、フィルタ部３２、左開口部２７の各内周面にそれぞれ接触しながら移動可能となっている。
【００１９】
前述したように、円筒状であるフィルタ部３２の一部を構成するフィルタ支持枠２８の両端部は、ケーシング２２の左開口部２７および右開口部２６と一体的になっているので、これらの両端部はケーシング２２の一部を構成しているということができる。従って、前記塵埃取出部４７と塵埃押出部材５２とは、フィルタ部３２の両端部でもあるケーシング２２の左開口部２７および右開口部２６に設けたものということができる。
【００２０】
塵埃押出部材５２と塵埃取出部４７とは、フィルタ部３２によりろ過されて塵埃が集積される位置である集塵部５７の両側に離間して対向しており、これらを結ぶ方向と、前記吸込管３５と吐出管３７とを結ぶ方向とは、直角に交差している。このことにより、電気掃除機２を構成する掃除機本体３や吸込ホース７などの他の部分から集塵装置１を取り外すことなく、押出機構５１を操作することによって、塵埃押出部材５２により塵埃取出部４７に向かって塵埃を押出して圧縮することが可能になるとともに、必要時に取出部カバー４８を取り外して外部に廃棄することができる。これらは、塵埃押出部材５２および塵埃取出部４７と、前記吸込管３５ならびに吐出管３７とを、ケーシング２２の異なった位置に配置することによって実現できるものである。
【００２１】
以上の集塵装置１が電気掃除機２に組み込まれて使用された状態について説明する。電源コード１７を電力供給コンセントに差し込んだ状態で、操作スイッチ１１をオンにして電力を供給すると電動送風機１６が駆動される。そして清掃作業者は、吸込ホース７の操作部を握って、その先に接続された延長管１２および吸込口体１３を移動することにより、床面等の被清掃面の塵埃を空気とともに吸込口体１３から吸引することができる。
【００２２】
吸込口体１３から吸込まれた塵埃が混在する空気は、延長管１２、吸込ホース７を経由して集塵装置１に流入する。すなわち、塵埃混在空気は、集塵装置１に設けられた吸込管３５の吸込口３６からフィルタ部３２の内部に移動し、このフィルタ部３２のフィルタ３１によりろ過されて、塵埃はフィルタ部３２の内部にある集塵部５７に集積され、空気は通気部３０を通過してフィルタ部３２の外周部に有する通風路３３に流出する。さらに、この通風路３３から吐出管３７の吐出口３８に流入した空気は、吸引力の発生源である電動送風機１６を通過して、掃除機本体の図示しない排気口から外部に排気される。これらの清掃作業を繰り返すことにより、集塵装置１のフィルタ３１でろ過された塵埃は、フィルタ部３２の集塵部５７に多量に集積されるとともに、フィルタ部３２の内周面に付着するため、良好な清掃を継続していくことが困難になる。
【００２３】
次に、集塵装置１に集積された塵埃の廃棄処理につき説明する。電動送風機１６が停止しているときに、まず清掃作業者は、押出機構５１のハンドル部５４を握ってピストン棒５３を掃除機本体３の側方から引き離し、支軸５６で屈曲された状態を解除して直線的なピストン棒５３とし、集塵装置１の内方に押し込む。これによりピストン棒５３の先端に取付けられた塵埃押出部材５２は、フィルタ部３２の集塵部５７に集積された塵埃を圧縮しながら取出部カバー４８の内側にある左開口部２７の位置まで移動する。この際、塵埃押出部材５２の外周に有する除塵体５５は、右開口部２６、フィルタ部３２、左開口部２７の各内周面に接触しながら移動することで、特にフィルタ部３２の表面に付着している塵埃を掻き落して、他の塵埃とともに圧縮される。この掻き落し作業は、塵埃押出部材５２を押し込む動作を数回繰り返すことで、より効果的に行われる。
【００２４】
この塵埃の圧縮作業を行うことにより、フィルタ部３２の内部に新たな塵埃の集積スペースを確保できるので、その後直ちに電動送風機１６を駆動して電気掃除機２による被清掃面の清掃作業を開始することができる。しかし、数回の清掃作業を行って塵埃の圧縮および掻き落し作業を繰り返しても、十分な集積スペースを確保できなくなった場合には、左開口部２７に圧縮されて集積された塵埃を外部に廃棄する必要がある。その場合には、取出部カバー４８を左径小部２５から取り外し、左開口部２７にある圧縮された塵埃を押出機構５１により押し出せば、外部に準備した容器内に塵埃取出部４７から廃棄することができる。この塵埃の圧縮および廃棄作業は、電気掃除機２を使用する都度行うこともできる。その後、取出部カバー４８を再び左径小部２５に取付けることにより、良好な清掃作業の再開が可能になる。
【実施例２】
【００２５】
次に、図６により集塵装置１の第２の実施例を説明する。この場合、実施例１と同一部分は同一の番号とし説明を省略する。左径小部２６に着脱可能に取付けられた取出部カバー６０は、上記実施例１と比較して、底を深くした有底円筒状の容器となっており、その内周面にはビニール袋６１が収納されている。ビニール袋６１のつば部６２は、取出部カバー６０に固定されたパッキング５０と左径小部２５の端面との間に挟持されており、また、ビニール袋の底部も図示しない保持部により保持されていることから、電動送風機１６の吸引力により負圧になっても、ビニール袋６１の一部がフィルタ部３２まで移動することはない。
【００２６】
この取出部カバー６０を取付けた場合でも、押出機構５１の使用方法は実施例１と同様である。しかし、取出部カバー６０による塵埃の収容容量が大きいために、取出部カバー６０を取り外して行う塵埃の廃棄回数を低減することができるとともに、外部に塵埃を廃棄する場合に取出部カバー６０を容器として利用できる。また、ビニール袋６１を取付けた場合は、その内部に塵埃が収容されたまま廃棄できるので、一層処分が簡単である。この実施例の場合、ピストン棒５３の長さを長くすることで、塵埃の圧縮や取出部カバー６０の内部への押し出しが容易かつ簡単に行うことができる。
【実施例３】
【００２７】
さらに、図７および図８により第３の実施例を説明する。この場合でも、実施例１と同一部分は同一の番号とし説明を省略する。ケーシング２２およびフィルタ部３２は、横断面が楕円形をした筒状をしているが、この点以外にこれらは実施例１と相違する点はない。吸込管６５は、外周部の対向する２箇所にそれぞれ四角形のバイパス開口６６が設けられている。これらのバイパス開口６６には、前記フィルタ３１と同一メッシュのバイパスフィルタ６７が内周面から各々取付けられている。
【００２８】
このバイパス開口６６およびバイパスフィルタ６７の機能について説明する。フィルタ部３２の内部に塵埃の集積が少ない状態では、塵埃の混在する空気の流れる方向が、吸込管６５のバイパス開口６６と平行状態となっていることで、気流の大部分はバイパス開口６６に流入することなくフィルタ部３２の内部に流入し、そこにろ過されて捕捉された塵埃を集積して通気路３３に流出する。しかし、フィルタ部３２の内部に塵埃が多く集積したり、フィルタ３１の目詰まりが多い状態になると、塵埃が混在した空気はバイパス開口６６のバイパスフィルタ６７を通過して通気路３３に流入し、電動送風機１６に有する図示しないモータが焼損しないような吸込風量を確保する。この際、バイパスフィルタ６７によりろ過されて塵埃が捕捉されるが、この塵埃は、少なくなったとはいえフィルタ部３２に向かう気流により流されて移動し、フィルタ部３２の内部に集積される。これにより、バイパスフィルタ６７に目詰まりが生じにくいとともに、その表面には塵埃が集積されないことで、フィルタ部３２の内部に塵埃が満杯になるまでの長期にわたり集塵装置１をそのまま使用することができる。
【実施例４】
【００２９】
また、図９により、第４の実施例を説明する。この場合でも、実施例１と同一部分は同一の番号とし説明を省略する。この実施例は、押出部カバー７０をケーシング２２に接着剤などで一体的に固定したものである。この場合、塵埃押出部材５２は、支軸５６の部分で切り離した状態で、押出部カバー７０をケーシング２２に結合する前に貫通口４５に挿入するか、接合した後に左開口部２７から移動して貫通口４５に挿入して、ピストン棒５３を結合することができる。また、ケーシング２２の左開口部２７は、外周部にねじ部７１を設けた円筒状のカバー取付部７２を接着剤により接着することにより、取出部カバー４８を着脱可能に取付けることができるようになる。このようにすることで、これらを成形するプラスチックの金型を容易に製造することができる。
【実施例５】
【００３０】
また、図１０により、第５の実施例を説明する。この場合でも、実施例１と同一部分は同一の番号とし説明を省略する。この実施例は、右径小部２４と押出部カバー７５とを最初から一体的に成形したものである。これにより簡単な構造とすることができる。
【００３１】
また、上記の各実施例において、ケーシング２２およびフィルタ部３２は円筒状としたが、これに限ることなく、四角形、多角形およびその他の立体的な形状にすることが可能である。特にフィルタ部は、断面形状を直線形、半円形、コの字形、くの字形とすることができる。これらの場合、塵埃押出部材の外形は、フィルタ部の一端から他端にその表面上を擦りながら移動して、そこに付着した塵埃を掻き落しつつ集積した塵埃を押し出す必要性から、フィルタ部の表面の形状に一致させることが望ましい。
【００３２】
さらに、ケーシングに対する吸込管および吐出管が設けられた位置は、ケーシングの左右方向に限らず上下方向や、一方を横方向に他方を上方向に分けるなど、あらゆる方向の組合せとすることができる。この場合、吸込管をケーシングに上下方向に設けた場合には、塵埃の逆流を防止するためにフィルタ部側にゴム製などすでに周知の逆止弁を取付けることが必要である。例えば、アプライト形や縦型と呼ばれる電気掃除機では、上下方向に向いて下方に吸込管、上方に吐出管を設けた場合には、横方向に向いて塵埃押出部材と塵埃取出部とを配置することが望ましい。
【００３３】
また、塵埃押出部材および塵埃取出部は、吸気口および吐出口が設けられたケーシングの位置でなければ、互いに離間して直線的に対向し、これらの間にフィルタ部により捕捉された塵埃が集積する個所の、左右、前後、上下を含むあらゆる方向に対向したケーシングの位置にそれぞれを設けることができる。これにより、吸込ホースを取り外すことなく、しかも集塵装置を掃除機本体などからから取り外すことなく、いつでも集塵装置の内部に集積された塵埃を圧縮したり、外部に廃棄することができる。
【００３４】
また、塵埃押出部材は、塵埃の押出しが可能であれば、格子状の枠体や網目状のものを使用することができる。さらに塵埃押出部材は、塵埃の集積する位置からフィルタ部が離れていたり、フィルタ部に付着した塵埃を掻き落すことが不要であるサイクロン方式の電気掃除機の場合には、その外周部に除塵体を設ける必要がない。
【００３５】
さらに、取出部カバーは、上記実施例においてねじ部により塵埃取出部に位置して着脱可能としたが、これに限ることはない。例えば、スプリングの付勢力により取出部カバーが塵埃取出部を閉鎖するように取付け、清掃作業の終了後に押出機構の塵埃押出部材を移動させて、その押出し圧力によって取出部カバーを押し開くことにより、塵埃を外部に廃棄するように設けることもできる。
【００３６】
また、塵埃押出部材の押出機構は、押出部カバーに取付けずに、取出部カバーに取付けたレバーを押出機構として、その一端に塵埃押出部材に取付けて、このレバーを引くことにより塵埃押出部材を押出すようにすることも可能である。
【００３７】
本発明の集塵装置は、掃除機本体に内蔵させて使用する電気掃除機に限定されることはない。すなわち、大きな建物の機械室に設置した掃除機本体に電動送風機を内蔵させ、そこから各部屋の壁面まで配管される方式のセントラルクリーナにも容易に使用することができる。この場合、各部屋の壁面の配管に本発明の集塵装置に有する吐出管を接続し、また吸込管に吸込ホースや吸込口体を連通接続して、機械室の掃除機本体を含む全体で電気掃除機として使用することができる。その場合でも、吸込管や吐出管の接続を取り外すことなく、塵埃を圧縮したり外部に廃棄することが可能である。
【図面の簡単な説明】
【００３８】
【図１】本発明による集塵装置を内蔵した電気掃除機の外観斜視図である。（実施例１）
【図２】図１に示す電気掃除機の一部断面図である。
【図３】図１に示す本発明の集塵装置の断面図である。
【図４】図３に示す集塵装置の分解斜視図である。
【図５】図４に示す集塵装置のＡ−Ａにおける断面図である。
【図６】本発明による集塵装置の他の実施例を示す縦断面図である。（実施例２）
【図７】本発明による集塵装置の他の実施例を示す一部を切り欠いた斜視図である。（実施例３）
【図８】図７に示す集塵装置のＢ−Ｂにおける断面図である。
【図９】本発明による集塵装置の他の実施例を示す断面図である。（実施例４）
【図１０】本発明による集塵装置の他の実施例を示す断面図である。（実施例５）
【符号の説明】
【００３９】
１    集塵装置
２    電気掃除機
１６  電動送風機
２２  ケーシング
３２  フィルタ部
３３  通風路
３５、６５  吸込管
３６  吸込口
３７  吐出管
３８  吐出口
４２、７０、７５  押出部カバー
４７  塵埃取出部
４８、６０  取出部カバー
５１  押出機構（５３  ピストン棒、  ５４  ハンドル部）
５２  塵埃押出部材
５５  防塵体
５７  集塵部
６６  バイパス開口
６７  バイパスフィルタ
【図１】
2005185398.tif 000003
【図２】
2005185398.tif 000004
【図３】
2005185398.tif 000005
【図４】
2005185398.tif 000006
【図５】
2005185398.tif 000007
【図６】
2005185398.tif 000008
【図７】
2005185398.tif 000009
【図８】
2005185398.tif 000010
【図９】
2005185398.tif 000011
【図１０】
2005185398.tif 000012